(57)【要約】【課題】パン材料としてグルテン及び増粘剤を含ませることなく米粉を使用する場合に出来の良いパンを製造できる自動製パン器を提供する。【解決手段】自動製パン器の制御部が実行させる製パンコースは少なくとも１種類あり、前記製パンコースには、パン材料としてグルテン及び増粘剤を含ませることなく米粉を使用する場合に実行されるべき第１の製パンコースが含まれる。前記第１の製パンコースは、酵母菌を含んだパン材料を前記攪拌部材で攪拌する攪拌処理を含み、パン材料からパン生地を調製するパン生地調製工程と、前記パン生地調製工程によって得られたパン生地を休ませる生地休め工程と、前記生地休め工程を経たパン生地のガスを抜くガス抜き工程と、前記ガス抜き工程を経たパン生地を発酵させる発酵工程と、前記発酵工程を経たパン生地を焼成する焼成工程と、を順次に連続して行うコースである。【選択図】図８
2011041642.tif 000002
【特許請求の範囲】
【請求項１】
パン材料が投入される容器と、
前記容器内に投入されたパン材料を攪拌する攪拌部材と、
前記容器内の温度を調整する加熱部と、
前記攪拌部材及び前記加熱部の動作を制御して、パン材料からパンを焼き上げるための製パンコースを実行させる制御部と、
を備える自動製パン器であって、
前記制御部が実行させる前記製パンコースは少なくとも１種類あり、
前記製パンコースには、パン材料としてグルテン及び増粘剤を含ませることなく米粉を使用する場合に実行されるべき第１の製パンコースが含まれ、
前記第１の製パンコースは、酵母菌を含んだパン材料を前記攪拌部材で攪拌する攪拌処理を含み、パン材料からパン生地を調製するパン生地調製工程と、前記パン生地調製工程によって得られたパン生地を休ませる生地休め工程と、前記生地休め工程を経たパン生地のガスを抜くガス抜き工程と、前記ガス抜き工程を経たパン生地を発酵させる発酵工程と、前記発酵工程を経たパン生地を焼成する焼成工程と、を順次に連続して行うコースであることを特徴とする自動製パン器。
【請求項２】
前記パン生地調製工程は、前記容器に予め投入しておいた酵母菌を含んだパン材料を、前記攪拌部材で攪拌する攪拌処理を行う工程であることを特徴とする請求項１に記載の自動製パン器。
【請求項３】
前記パン生地調製工程には、酵母菌以外のパン材料が投入された前記容器に酵母菌を投入する酵母菌投入処理と、前記酵母菌投入処理によって投入された前記酵母菌を含むパン材料を攪拌する攪拌処理と、が含まれることを特徴とする請求項１に記載の自動製パン器。
【請求項４】
前記第１の製パンコースは、パン材料としてグルテンを含ませることなく増粘剤を含ませた米粉を使用する場合にも兼用される製パンコースであることを特徴とする請求項１から３のいずれかに記載の自動製パン器。
【請求項５】
前記制御部が実行させる前記製パンコースには、前記第１の製パンコースの他に、パン材料としてグルテンを含ませて米粉を使用する場合に実行されるべき第２の製パンコースが含まれ、
前記第２の製パンコースは、酵母菌を含んだパン材料を前記攪拌部材で攪拌する攪拌処理を含み、パン材料からパン生地を調製するパン生地調製工程と、前記パン生地調製工程によって得られたパン生地を休ませる生地休め工程と、前記生地休め工程を経たパン生地を丸める生地丸め工程と、前記生地丸め工程を経たパン生地を発酵させる発酵工程と、前記発酵工程を経たパン生地を焼成する焼成工程と、を順次に連続して行うコースであることを特徴とする請求項１から４のいずれかに記載の自動製パン器。
【請求項６】
前記第１の製パンコースのガス抜き工程、及び、前記第２の製パンコースの生地丸め工程は、前記攪拌部材を回転することによって行われ、
前記攪拌部材の回転は、前記ガス抜き工程の場合の方が前記生地丸め工程の場合よりも高速であることを特徴とする請求項５に記載の自動製パン器。
【請求項７】
前記第１の製パンコースが実行される場合と、前記第２の製パンコースが実行される場合とで、使用すべき前記攪拌部材の種類が異なるように設けられていることを特徴とする請求項５又は６に記載の自動製パン器。
【発明の詳細な説明】
【技術分野】
【０００１】
本発明は自動製パン器に関し、特に、パン材料として米粉を用いてパンを焼き上げることができる自動製パン器に関する。
【背景技術】
【０００２】
従来、小麦粉をパン材料とする小麦粉パンに代わるパンとして、米粉をパン材料とする米粉パンが注目されている。米粉パンは、小麦粉パンに比べ、１）含水量が多く少ない量で腹もちがよい、２）保水体質の日本人に適している、３）小麦粉アレルギー疾患の人も安心して食することができる、等の長所がある。このような長所や米粉の用途拡大を図る等の観点から、従来、一般家庭で米粉パンを製造できる自動製パン器の開発が盛んに行われている（例えば、特許文献１〜３参照）。
【０００３】
特許文献１〜３に開示されるように、米粉をパン材料として用いる場合には、パン生地内に炭酸ガスを閉じ込める粘性膜を形成してふっくら感のあるパンを焼き上げられるように、パン材料にグルテンや増粘剤（例えば植物系の多糖類からなるグアガム等からなって、パン生地に粘性を付与するもの）を含ませるのが一般的である。
【０００４】
また、米粉は小麦粉に比して含水率が高いものの、加水されて一旦吸水した水を長時間にわたって保持することが難しいという性質を有する。このために、米粉パンをパン材料として使用する場合には、パンの製造に要する時間をできる限り短時間とすることが望まれる。このようなことから、パン材料として米粉を使用して自動製パン器でパンを製造する場合には、従来、次のような工程でパンが製造される。
【０００５】
すなわち、パン材料にグルテンを含有させる場合には、例えば、捏ね−生地休め−生地丸め−成形発酵−焼成といった工程により、２時間３０分程度でパンが製造される（特許文献１参照）。また、パン材料にグルテンを含ませることなく増粘剤を含ませる場合には、例えば、パン生地調製（混合及び捏ね）−成形発酵−焼成といった工程により、約２時間程度でパンが製造される（特許文献２参照）。
【０００６】
なお、パン材料として小麦粉を使用する場合には、例えば、捏ね−一次発酵−ガス抜き−生地休め−生地丸め−成形発酵−焼成といった工程により、３時間３０分程度でパンが製造される（特許文献１参照）。これと比較すれば、従来の自動製パン器においては、米粉をパン材料として使用する場合に、一次発酵工程等を省略することによって小麦粉をパン材料として使用する場合に比べて短時間でパンを製造しているのがわかる。
【先行技術文献】
【特許文献】
【０００７】
【特許文献１】特許第３９１３７２４号公報
【特許文献２】特開２００６−１２２０２１号公報
【特許文献３】特開２００６−１８７２４８号公報
【発明の概要】
【発明が解決しようとする課題】
【０００８】
ところで、近年においては、米粉パンのパン原料として使用される米粉の改善（例えば粒度分布等の改善）によって、手作業（自動製パン器を用いないとの意味である）でパンを製造する場合に、パン材料にグルテンや増粘剤を含ませることなく出来の良い（ふっくら感があり、おいいしい）米粉パンが製造されるようになってきている。
【０００９】
従来の常識では、パン原料として米粉を使用する場合には、グルテンや増粘剤をパン原料に含ませるのが当然とされていた。このために、従来提案されている自動製パン器においては、パン材料として米粉を使用し、パン材料にグルテンと増粘剤とのいずれも含ませない場合には、出来の良いパンが得られ難いという問題があった。
【００１０】
そこで、本発明の目的は、パン材料としてグルテン及び増粘剤を含ませることなく米粉を使用する場合に出来の良いパンを製造できる自動製パン器を提供することである。また、本発明の他の目的は、パン材料中におけるグルテン及び増粘剤の有無にかかわらず、パン材料として米粉を使用した場合に出来の良いパンを製造できる自動製パン器を提供することである。
【課題を解決するための手段】
【００１１】
上記目的を達成するために本発明の自動製パン器は、パン材料が投入される容器と、前記容器内に投入されたパン材料を攪拌する攪拌部材と、前記容器内の温度を調整する加熱部と、前記攪拌部材及び前記加熱部の動作を制御して、パン材料からパンを焼き上げるための製パンコースを実行させる制御部と、を備える自動製パン器であって、前記制御部が実行させる前記製パンコースは少なくとも１種類あり、前記製パンコースには、パン材料としてグルテン及び増粘剤を含ませることなく米粉を使用する場合に実行されるべき第１の製パンコースが含まれ、前記第１の製パンコースは、酵母菌を含んだパン材料を前記攪拌部材で攪拌する攪拌処理を含み、パン材料からパン生地を調製するパン生地調製工程と、前記パン生地調製工程によって得られたパン生地を休ませる生地休め工程と、前記生地休め工程を経たパン生地のガスを抜くガス抜き工程と、前記ガス抜き工程を経たパン生地を発酵させる発酵工程と、前記発酵工程を経たパン生地を焼成する焼成工程と、を順次に連続して行うコースであることを特徴している。
【００１２】
なお、増粘剤は、パン材料に粘性を付与して、パン生地の内部に炭酸ガス等を閉じ込め易くするために加えられるものを指している。この増粘剤には、植物系の多糖類からなるものと、海藻系の多糖類からなるものが含まれ、好ましく使用されるものの代表例として、植物系の多糖類からなるグアガムが挙げられる。
【００１３】
本構成の自動製パン器では、第１の製パンコースにおいて、最終の発酵工程（焼成工程直前の発酵工程を指す）の前に、生地を休めて生地中にガスを含ませた上で、ガス抜きを行うこととしている。このガス抜きによって、パン生地の状態について、ムラのない、均一な状態を得ることができるため、出来の良い米粉パンを焼き上げることができる。なお、ここで行うガス抜き工程は、より均一な状態の生地を得るために、できる限りパン生地中のガスを抜くように徹底して行うのが好ましい。このような意味で、このガス抜き工程は、パン生地の均一状態を高めるための生地均一化工程とも言える。
【００１４】
従来の常識では、米粉を使用する場合（特に、グルテン及び増粘剤を含ませることなく米粉を使用する場合によく当てはまることである）には、パン生地中の炭酸ガスが抜け易く、最終の発酵工程の前に徹底してガスを抜くということは考えられなかった。この点、本発明者らは、グルテン及び増粘剤を含ませることなく使用することが推奨される米粉を用いて鋭意検討した結果、上述した、生地を休めて生地中にガスを含ませた上でガス抜き工程（生地均一化工程）を行うことによって、出来の良い米粉パンを焼き上げることを見出し、本発明に至ったものである。
【００１５】
上記構成の自動製パン器において、前記パン生地調製工程は、前記容器に予め投入しておいた酵母菌を含んだパン材料を、前記攪拌部材で攪拌する攪拌処理を行う工程であるのが好ましい。これにより、パン生地調製工程を単純なものとできる。ただし、前記生地調製工程には、酵母菌以外のパン材料が投入された前記容器に酵母菌を投入する酵母菌投入処理と、前記酵母菌投入処理によって投入された前記酵母菌を含むパン材料を攪拌する攪拌処理と、が含まれることとしてもよい。このようなパン生地調製工程の具体例として、例えば、酵母菌以外のパン材料を予め容器に投入しておき、一旦、パン材料を攪拌した後に攪拌を止めて酵母菌を投入し、その後、酵母菌を含むパン材料を攪拌するという構成が挙げられる。
【００１６】
上記構成の自動製パン器において、前記第１の製パンコースは、パン材料としてグルテンを含ませることなく増粘剤を含ませた米粉を使用する場合にも兼用される製パンコースであることとしてもよい。
【００１７】
本構成によれば、パン材料としてグルテンを含ませることなく米粉を使用する場合について、増粘剤の有無にかかわらず、同一の製パン工程とできるために、製パン工程の選択が複雑とならず、ユーザにとって使い勝手の良いものとなる。
【００１８】
上記構成の自動製パン器において、前記制御部が実行させる前記製パンコースには、前記第１の製パンコースの他に、パン材料としてグルテンを含ませて米粉を使用する場合に実行されるべき第２の製パンコースが含まれ、前記第２の製パンコースは、酵母菌を含んだパン材料を前記攪拌部材で攪拌する攪拌処理を含み、パン材料からパン生地を調製するパン生地調製工程と、前記パン生地調製工程によって得られたパン生地を休ませる生地休め工程と、前記生地休め工程を経たパン生地を丸める生地丸め工程と、前記生地丸め工程を経たパン生地を発酵させる発酵工程と、前記発酵工程を経たパン生地を焼成する焼成工程と、を順次に連続して行うコースであることとしてもよい。
【００１９】
本構成によれば、パン材料に米粉を使用する場合において、パン材料中にグルテンが含まれるか否かで、第１の製パンコースと第２の製パンコースを選択して、パンを焼き上げることが可能となる。すなわち、本構成の自動製パン器があれば、パン材料に含まれる成分に応じて製パンコースを使い分けることで、米粉をパン材料として使用する場合に広く出来の良いパンを製造することが可能となる。
【００２０】
前記第１の製パンコースのガス抜き工程、及び、前記第２の製パンコースの生地丸め工程は、前記攪拌部材を回転することによって行われ、前記攪拌部材の回転は、前記ガス抜き工程の場合の方が前記生地丸め工程の場合よりも高速であることとしてもよい。
【００２１】
本構成によれば、ガス抜き処理では、ガスを徹底して抜くために攪拌部材を高速で回転する。一方で、生地丸め処理では、パン生地をできるだけ傷めないように攪拌部材を低速で回転する。このために、本構成の自動製パン器によれば、出来の良い米粉パンを得やすい。
【００２２】
上記構成の自動製パン器において、前記第１の製パンコースが実行される場合と、前記第２の製パンコースが実行される場合とで、使用すべき前記攪拌部材の種類が異なるように設けられていることとしてもよい。
【００２３】
本構成によれば、第１の製パンコースと第２の製パンコースとで使用する攪拌部材を異なるものとしている。このように、各製パンコースに対応して最適な攪拌部材を用いるように構成することで、より出来の良いパンを焼き上げることが可能となる。
【発明の効果】
【００２４】
本発明の自動製パン器によると、パン材料としてグルテン及び増粘剤を含ませることなく米粉を使用する場合に、出来の良いパンを製造できる。また、本発明の自動製パン器によると、パン材料中におけるグルテン及び増粘剤の有無にかかわらず、パン材料として米粉を使用した場合に、広く出来の良いパンを製造することも可能となる。
【図面の簡単な説明】
【００２５】
【図１】本実施形態の自動製パン器の構成を示す図で、蓋を閉じた状態の垂直断面図
【図２】本実施形態の自動製パン器の構成を示す図で、蓋を開いた状態の垂直断面図
【図３】本実施形態の自動製パン器が備える操作部の構成を示す正面図
【図４】本実施形態の自動製パン器の電気的構成を示すブロック図
【図５】本実施形態の自動製パン器が備える攪拌羽根について説明するための図で、攪拌羽根の構成を示す概略斜視図
【図６】本実施形態の自動製パン器で小麦粉食パンを製造する場合の製パン工程表
【図７】本実施形態の自動製パン器で米粉食パン（グルテン含む）を製造する場合の製パン工程表
【図８】本実施形態の自動製パン器で米粉食パン（グルテン及び増粘剤を含まない）を製造する場合の製パン工程表
【図９】本発明に適用可能なパン生地調製工程の変形例を示す図
【発明を実施するための形態】
【００２６】
（自動製パン器の概略構成）
以下、本発明の自動製パン器の実施形態について図面を参照しながら詳細に説明する。図１は、本実施形態の自動製パン器の構成を示す図で、蓋を閉じた状態の垂直断面図である。図２は、本実施形態の自動製パン器の構成を示す図で、蓋を開いた状態の垂直断面図である。図３は、本実施形態の自動製パン器が備える操作部の構成を示す正面図である。図４は、本実施形態の自動製パン器の電気的構成を示すブロック図である。図１、図２、図３及び図４を参照して、本実施形態の自動製パン器１の概略構成について説明する。
【００２７】
自動製パン器１は、本体１０と本体の蓋２０とを備える。本体１０の内部には上面が開口した焼成室１１が設けられ、この上面開口を蓋２０が閉ざす。焼成室１１にはパン容器３０が入れられる。蓋２０は自動製パン器１の背面側において本体１０に蝶番軸２１で連結され、蝶番軸２１を中心として垂直面内で回動する。蓋２０には、前端より少し後方に寄った位置に、透明合成樹脂のレンズをはめ込んだ覗き窓２０ａが設けられている。
【００２８】
焼成室１１は、水平断面矩形の周側壁１１ａと底壁１１ｂとを備え、底壁１１ｂの焼成室中央にあたる箇所にはパン容器支持部１２が固定されている。パン容器支持部１２の内部は、底壁１１ｂに形成された開口部を通じ、焼成室１１側に露出する。パン容器支持部１２は、パン容器３０の底面に固定された筒状の台座３１をバヨネット結合で連結してパン容器３０を支える役割を担う。また、パン容器支持部１２は、パン容器３０内に取り付けられる攪拌羽根３２（本発明の攪拌部材の実施形態である）に、羽根取付軸３３を介して動力を伝える回転軸１３を支持する役割も担う。パン容器支持部１２の下面から突き出した回転軸１３の下端にはプーリ１４が固定される。プーリ１４は底壁１１ｂの下面に固定されたモータ１５の出力軸プーリ１６にベルト１７で連結されている。
【００２９】
また、焼成室１１の内部にはパン容器３０を包囲するように加熱装置４０（本発明の加熱部の実施形態である）が配置され、これにより、パン容器３０に投入されたパン材料或るいはパン生地を加熱する。加熱装置４０はシーズヒータ４１により構成されている。シーズヒータ４１には耐熱ケーブル４２を通じて電流が供給される。
【００３０】
パン容器３０はバケツのような形状をしており、口縁部には手提げ用のハンドル（図示せず）が取り付けられている。パン容器３０の水平断面形状は、四隅を丸めた矩形であり、その中心で攪拌羽根３２が回転する。攪拌羽根３２は、台座３１の中心に軸支された羽根取付軸３３の上端部に単なるはめ込みで取り付けられており、工具を用いることなく着脱することができる。このため、異なる種類の攪拌羽根３２に容易に交換可能である。
【００３１】
羽根取付軸３３は回転軸１３より動力を伝達されるものであるが、その動力伝達手段としては台座３１に囲い込まれるカップリング３４が用いられる。すなわち、カップリング３４を構成する２部材のうち、一方は回転軸３３の下端に固定され、他方は回転軸１３の上端に固定される。
【００３２】
台座３１の外周面には、パン容器支持部１２の内周面に形成された突起３５ａと共に周知のバヨネット結合部を構成する突起３５ｂが形成されている。パン容器３０を、突起３５ａと３５ｂが干渉しない角度に保ちつつ、台座３１をパン容器支持部１２の中に落とし込み、パン容器３０をひねって突起３５ａの下に突起３５ｂを係合させれば、パン容器３０は上方に抜けなくなり、同時にカップリング３４の連結も達成される。パン容器３０のひねり方向は攪拌羽根３２の回転方向に一致させてあるので、攪拌羽根３２が回転してもパン容器３０が外れることはない。ここでは、パン容器３０のひねり方向と攪拌羽根３２の回転方向は、共に上から見て時計方向に設定されている。
【００３３】
本体１０の前部上方には操作部２２が配置される。図３に示すように、操作部２２は、液晶表示パネルからなる表示部５０と、スタートキー５１と、とりけしキー５２と、小麦コースキー５３と、小麦ゼロ／米粉コースキー５４と、小麦ゼロコースランプ５４ａと、天然酵母コースキー５５と、調理コースキー５６と、時刻／予約時間／調理時間設定キー５７ａ、５７ｂと、予約キー５８と、予約ランプ５８ａと、を備える。小麦ゼロコースランプ５４ａ及び予約ランプ５８ａはいずれもＬＥＤ（Light Emitting Diode） からなる。
【００３４】
表示部５０は、自動製パン器１が電源ＯＮの状態にあるかどうか、現在時刻、各種コースキー５３〜５５の選択状況、調理キー５６により選択した調理コースの種類、スタートキー５１による製パン作業（製パンコース）のスタート、とりけしキー５２による選択の解除や製パン作業中止、時刻／予約時間／調理時間設定キー５７ａ、５７ｂでセットしたパンや生地の完成予定時間、製パン作業時に発生したエラーを示すエラーメッセージなどの情報を表示する。
【００３５】
スタートキー５２は、自動製パン器１を電源ＯＮまたは電源ＯＦＦの状態にするために、また、製パン作業（生地づくりやジャム・スープづくりの作業であることもある）をスタートさせるのに用いる。とりけしキー５３は、各種選択や設定を取り消したり、実行中の作業を中止したりするのに用いる。
【００３６】
小麦コースキー５３は、パンや生地を製造する場合の材料として小麦粉を使用する場合に用いられるキーである。本実施形態の自動製パン器１においては、小麦コースキー５３によって、例えば、「食パン」、「おいそぎ」（食パンを短時間で製造するコース）、「焼色濃」（食パンの焼き色を濃く製造するコース）、「グルメパン」、「フランスパン」、「パン生地」、「ピザ生地」、「ヌードル」、「ケーキ」といったコースを選択することができるようになっている。
【００３７】
小麦ゼロ／米粉コースキー５４は、パンや生地を製造する場合の材料として、小麦粉ではなく米粉を使用する場合に用いられるキーである。小麦ゼロ／米粉コースキー５４は、米粉コースと小麦ゼロコースとが選択できるようになっており、小麦ゼロコースが選択された場合に、小麦ゼロコースランプ５４ａが点灯する。また、小麦ゼロ／米粉コースキー５４によって、例えば「パン生地」、「ピザ生地」、「ヌードル」、「ケーキ」といったコースが選択できるようになっている。
【００３８】
なお、米粉コースは、パン材料として米粉を使用する場合であって、パン材料中にグルテンを含ませる場合に選択されるコースである。また、小麦ゼロコースは、パン材料として米粉を使用する場合であって、パン材料中にグルテンを含ませない場合に選択されるコースである。更に説明を付け加えると、小麦ゼロコースは、パン材料中にグアガム等の増粘剤が含まれる場合であろうとなかろうと、パン材料中にグルテンが含まれなければ、選択されるコースである。
【００３９】
天然酵母パンコースキー５５は、パン原料として小麦粉を使用し、元種を水と混合して得られる天然酵母で発酵を行わせる「天然酵母パンコース」を選択するときに用いられる。
【００４０】
調理コースキー５６は、ジャムやスープづくりを行うためのコースを選択できるように設けられている。
【００４１】
時刻／予約時間／調理時間設定キー５７ａ、５７ｂは、現在時刻、パン生地が出来上がるまでの予約時間、調理時間を合わせるために用いられるキーである。また、予約キー５８は、出来上がり時間を予約する時に押すためのキーであり、予約が行われると予約ランプ５８ａが点灯する。
【００４２】
焼成室１１の周側壁１１ａの前面と本体１０の正面側外殻との間の空間には、自動製パン器１の動作全体を制御する制御装置１８が配置される。この制御装置１８は、図４に示すように、ＣＰＵ（Central Processing Unit）、ＲＯＭ（Read Only Memory）、ＲＡＭ（Random Access Memory）、Ｉ／Ｏ（input/output）回路部等からなるマイクロコンピュータ（マイコン）１８１と、このマイコン１８１に電気的に接続されたモータ駆動回路１８２及びヒータ駆動回路１８３と、を備えている。また、制御装置１８が備えるマイコン１８１には、上述した操作部２２の各種キーやランプが電気的に接続されている。更に、マイコン１８１には、焼成室１１の内側に配置され、焼成室１１内の温度を検出する温度センサ１９が電気的に接続されている。
【００４３】
モータ駆動回路１８２は、マイコン１８１からの指令の下で、攪拌羽根３２を回転させるモータ１５の駆動を制御する回路である。ヒータ駆動回路１８３は、温度センサ１９からの情報を受け取るマイコン１８１からの指令の下で、加熱装置４０の動作を制御する回路である。マイコン１８１は、操作部２２からの入力信号に基づいてＲＯＭ等に格納された製パンコース（生地、ジャム、スープづくりのコースの場合もあり得る）に係るプログラムを読み出す。そして、マイコン１８１は、モータ駆動回路１８２を介して攪拌羽根３２の回転、及び、ヒータ駆動回路１８３を介して加熱装置４０の加熱動作を制御しながら、自動製パン器１に製パンコースを実行させる。なお、制御装置１８は、本発明の制御部の実施形態である。
【００４４】
以上が本実施形態の自動製パン器１の概略構成である。自動製パン器１は、単に食パンを製造する以外に、様々な付加的なコース（例えば、短時間で食パンを製造するコース、特殊なパン（焼色濃、フランスパン、グルメパン、天然酵母を用いたパン）を製造するコース、各種生地、ヌードル、ケーキ、ジャム、及びスープを製造するコース）を有する。しかし、本実施形態の自動製パン器は、パン材料としてグルテン及び増粘剤（例えばグアガム）を含ませることなく米粉を使用した場合にも、出来の良い食パンが製造できる点に特徴を有する。このため、以下ではこの点が理解できるように、本実施形態の自動製パン器１によって実行される製パンコース（パン材料からパンを焼き上げるためのコース）について説明する。すなわち、本発明とは直接関係がない、上述の付加的なコースについての説明は省略する。
【００４５】
（自動製パン器によって実行される製パンコースについて）
１．パン材料として小麦粉を使用する場合の製パンコース（製パンコース（Ａ））
まず、パン材料として小麦粉を用いて食パンを製造する場合に、自動製パン器１で実行される製パンコース（製パンコース（Ａ））について説明する。なお、この場合、パン材料には、小麦粉の他に、水、酵母菌（例えばドライイースト）、砂糖、塩、油脂（例えばバター）等が含まれる。なお、砂糖、塩、油脂等の調味料は、それぞれ、入れても入れなくてもよい。
【００４６】
製パンコースを開始するにあたっては、パン容器３０に設けられる羽根取付軸３３に攪拌羽根３２を取り付ける。そして、所定の量の水をパン容器３０に入れた後、所定量の小麦粉、砂糖、塩、パターを入れる。最後に、ドライイーストを水に触れないようにパン容器３０に入れた後に、パン容器３０を焼成室１１に入れてパン容器支持部１２に取り付け、羽根取付軸３３を回転軸１３に連結して蓋２０を閉じる。この後、操作部２２の小麦コースキー５３によって、「食パン」を選択し、スタートキー５１を押すと、製パンコース（Ａ）が開始される。
【００４７】
ここで、製パンコース（Ａ）に使用される攪拌羽根３２について説明しておく。本実施形態の自動製パン器１においては、複数種類の攪拌羽根３２が用意されている。パン材料として小麦粉を使用して食パンを製造する場合（製パンコース（Ａ）の場合）、図５（ａ）に示すような第１の攪拌羽根３２ａが使用される。
【００４８】
第１の攪拌羽根３２ａは、羽根取付軸３３に取り付けられるように、第１の貫通孔３２１を有する第１の取付部３２２を備える。この第１の取付部３２２と一体となって第１の羽根部３２３が設けられる。この第１の羽根部３２３は、第１の取付部３２２とつながる略矩形状の第１平板部３２３ａと、第１平板部３２３ａに対して折れ曲がった状態でつながる略台形状の第２平板部３２３ｂとからなる。第１の攪拌羽根３２ａは、パン容器３０内で回転されることにより、パン容器３０内に投入されたパン材料を混合すると共に、パン材料がパン生地に転じていく過程で、パン材料（生地）をパン容器３０の内壁にたたきつける作用を発揮する。
【００４９】
以下、製パンコース（Ａ）の詳細について主に図６を参照しながら説明する。図６は、本実施形態の自動製パン器で小麦粉食パンを製造する場合の製パン工程表である。なお、図６の例に限らず、本明細書に登場する具体的な時間、温度、攪拌羽根の回転数はあくまでも一つの例であり、発明の内容を限定するものではない。
【００５０】
製パンコース（Ａ）が開始されると、まず、パン容器３０に投入されたパン材料からパン生地を調製するパン生地調製工程が行われる。このパン生地調製工程は、具体的には、パン容器３０に投入されたパン材料を攪拌する攪拌処理を行う工程である。この攪拌処理は、制御装置１８がモータ１５の駆動を制御し、第１の攪拌羽根３２ａを回転させることによって行われる。また、この攪拌処理において、制御装置１８は、必要に応じて加熱装置４０を制御して焼成室１１の温度を上げるようにする。
【００５１】
攪拌処理において、第１の攪拌羽根３２ａはパターン１（回転数１０．８rpm）で３０秒間回転し、次いでパターン２（回転数１８．０rpm）で１分間回転し、次いでパターン３（回転数５４rpm）で３０秒間回転し、最後に定格回転数（１８０rpm）で１０分間連続回転する。このように攪拌羽根の回転数を制御するのは、パン材料中の粉成分の飛散を抑制するためである。
【００５２】
第１の攪拌羽根３２ａの回転により、パン容器３０中のパン材料は攪拌され、粘度の高いパン生地（dough）に転じて行く。そして、第１の攪拌羽根３２ａが、パン生地へと転じて行くパン材料を振り回してパン容器３０の内壁にたたきつけることにより、パン材料を練り上げる「捏ね」の要素が加わることになる。すなわち、この攪拌処理は、「捏ね」の要素も含んでいる。
【００５３】
パン生地調製工程が完了すると、続いてパン生地を発酵させる一次発酵工程が行われる。この一次発酵工程では、制御装置１８が加熱装置４０を制御し、焼成室１１の温度が所定の温度に維持される。この一次発酵工程では第１の攪拌羽根３２ａの回転は止まっている。この一次発酵工程は、具体的には３２℃で４８分５０秒間行われる。
【００５４】
一次発酵工程が完了すると、続いてパン生地中に含まれるガスを抜くガス抜き工程が行われる。このガス抜き工程では、制御装置１８がモータ１５の駆動を制御して、第１の攪拌羽根３２ａを回転させる。また、このガス抜き工程では、焼成室１１の温度を所定の温度に維持すべく、制御装置１８は加熱装置４０の制御も行う。このガス抜き工程は具体的には、第１の攪拌羽根３２ａを定格回転数（１８０rpm）で１０秒間連続回転し、これによりパン生地の中に溜まったガスを抜く。
【００５５】
ガス抜き工程が完了すると、続いてパン生地を休ませる生地休め工程（ベンチタイム；「ねかし」と呼ばれることもある）が行われる。このベンチタイムにおいては、焼成室１１の温度を所定の温度（３２℃）に維持すべく、制御装置１８は加熱装置４０を制御する。このベンチタイムでは第１の攪拌羽根３２ａの回転は止まっている。ベンチタイムは、具体的には３５分３０秒間行われる。
【００５６】
生地休め工程が完了すると、続いてパン生地を丸める生地丸め工程が行われる。この生地丸め工程では、制御装置１８がモータ１５の駆動を制御し、第１の攪拌羽根３２ａを回転させる。本実施形態の生地丸め工程では、第１の攪拌羽根３２ａが、定格回転数（１８０rpm）の２割未満の回転数で２分間以下の時間、回転するようにしている。これは、生地をソフトに丸めてふくらみ具合の良いパンを得るためである。具体的には、パターン１（回転数１０．８rpm）で前半３０秒間の回転を行い、パターン２（回転数１８．０rpm）で後半１分間の回転を行う設定となっている。なお、パターン２の回転数１８．０rpmはパターン１の回転数１０．８rpmの１．５倍以上２倍未満の範囲にある。
【００５７】
生地丸め工程が完了すると、続いてパン生地を再度発酵させる成型発酵工程が行われる。この成型発酵工程では、制御装置１８が加熱装置４０を制御し、焼成室１１の温度が所定の温度に維持される。この成型発酵工程では第１の攪拌羽根３２ａの回転は止まっている。この成型発酵工程は、具体的には３８℃で１時間行われる。
【００５８】
成型発酵工程が完了すると、続いてパン生地を焼成する焼成工程が行われる。この焼成工程では、制御装置１８が加熱装置４０を制御し、所定の温度パターンで焼成室１１内を昇温する。この焼成工程においては、パン生地が所定の温度で所定の時間焼成される。この焼成工程では第１の攪拌羽根３２ａの回転は止まっている。この焼成工程は、具体的には１２０℃で４７分間行われる。
【００５９】
パンが焼き上がると、操作パネル２２の表示部５０に製パン完了のサインが出るか、或いは製パン完了の報知音が鳴る。これにより、使用者（ユーザ）は製パン作業の終了を検知して、図２のように蓋２０を開けてパン容器３０と共に完成品のパンＢを取り出す。なお、この製パンコース（Ａ）に要するトータル時間は、３時間２５分となる。
【００６０】
２．パン材料としてグルテンを含ませて米粉を使用する場合の製パンコース（製パンコース（Ｂ））
次に、パン材料としてグルテンを含ませて米粉を使用し、食パンを製造する場合に、自動製パン器１で実行される製パンコースについて説明する。説明にあたって、先に説明した製パンコース（Ａ）と重複する内容については簡単に記載、もしくは省略する。なお、この製パンコース（Ｂ）は、本発明の第２の製パンコースの実施形態である。
【００６１】
製パンコース（Ｂ）においては、パン材料には、米粉、グルテン、水、酵母菌（例えばドライイースト）、砂糖、塩、油脂（例えばバター）等が含まれる。なお、製パンコース（Ａ）の場合と同様に、砂糖、塩、油脂等の調味料は、それぞれ、入れても入れなくてもよい。
【００６２】
また、製パンコース（Ｂ）を開始するにあたっての準備段階は、製パンコース（Ａ）と同様である。製パンコース（Ｂ）は、小麦ゼロ／米粉コースキー５４で、米粉コースの「食パン」を選択して、スタートキー５１を押すことによって開始される。なお、製パンコース（Ｂ）で使用される攪拌羽根３２は、製パンコース（Ａ）で使用される攪拌羽根と同じ第１の攪拌羽根３２ａである。
【００６３】
以下、製パンコース（Ｂ）の詳細について主に図７を参照しながら説明する。図７は、本実施形態の自動製パン器で米粉食パン（グルテン含む）を製造する場合の製パン工程表である。
【００６４】
製パンコース（Ｂ）が開始されると、まず、パン容器３０に投入されたパン材料からパン生地を調製するパン生地調製工程が行われる。このパン生地調製工程は、具体的には、パン容器３０に投入されたパン材料を攪拌する攪拌処理を行う工程である。この攪拌処理においては、制御装置１８によって、第１の攪拌羽根３２ａの回転動作が制御される。この攪拌処理では、第１の攪拌羽根３２ａはパターン１（回転数１０．８rpm）で３０秒間回転し、次いでパターン２（回転数１８．０rpm）で１分間回転し、次いでパターン３（回転数５４rpm）で３０秒間回転し、最後に定格回転数（１８０rpm）で１３分間連続回転する。なお、この攪拌処理を行うにあたって、制御装置１８は、必要に応じて加熱装置４０の制御も行う。また、この攪拌処理は、「捏ね」の要素も含んでいる。
【００６５】
パン生地調製工程が完了すると、続いてパン生地を休ませる生地休め工程（ベンチタイム）が行われる。このベンチタイムは、３２℃で２６分３０秒間行われる。なお、この生地休め工程においては、パン生地の発酵が進んでガスが発生する。
【００６６】
生地休め工程が完了すると、続いてパン生地を丸める生地丸め工程が行われる。この生地丸め工程は、製パンコース（Ａ）における生地丸め工程と同様に行われ、パターン１（回転数１０．８rpm）で前半３０秒間の第１の攪拌羽根３２ａの回転を行い、パターン２（回転数１８．０rpm）で後半１分間の第１の攪拌羽根３２ａの回転を行う。
【００６７】
生地丸め工程が完了すると、続いてパン生地を発酵させる成型発酵工程が行われる。この成型発酵工程は、３８℃で５７分間行われる。
【００６８】
成型発酵工程が完了すると、続いてパン生地を焼成する焼成工程が行われる。この焼成工程は、具体的には１２５℃で５０分間行われる。
【００６９】
この製パンコース（Ｂ）に要するトータル時間は、２時間３０分となる。製パンコース（Ｂ）では、製パンコース（Ａ）における一次発酵工程及びガス抜き工程を省略するコースとなっている。また、適宜、各工程に要する時間の短縮を図っている。このような製パンに要する時間の短時間化を図るのは、パン材料として米粉を使用する場合、米粉が一旦吸収した水を長時間にわたって保持できないという性質を有することを考慮するものである。そして、製パンコース（Ｂ）のように米粉パンを製造することによって、出来の良いパンを得ることができる。
【００７０】
３．パン材料としてグルテン及び増粘剤を含ませることなく米粉を使用する場合の製パンコース（製パンコース（Ｃ））
次に、パン材料としてグルテン及び増粘剤を含ませることなく米粉を使用し、食パンを製造する場合に、自動製パン器１で実行される製パンコースについて説明する。説明にあたって、先に説明した製パンコース（Ａ）、（Ｂ）と重複する内容については簡単に記載、もしくは省略する。なお、この製パンコース（Ｃ）は、本発明の第１の製パンコースの実施形態である。
【００７１】
製パンコース（Ｃ）においては、パン材料には、米粉（これは、グルテン及び増粘剤を含ませることなく使用することが推奨された米粉である）、水、酵母菌（例えばドライイースト）、砂糖、塩、油脂（例えばバター）等が含まれる。繰り返し強調するが、ここでは、パン材料中に、グルテンや増粘剤といったパン生地内に炭酸ガスを閉じ込めるに十分な粘性膜を形成するために必要となる材料は含まれない。なお、製パンコース（Ａ）、（Ｂ）の場合と同様に、砂糖、塩、油脂等の調味料は、それぞれ、入れても入れなくてもよい。
【００７２】
製パンコース（Ｃ）を開始するにあたっての準備段階は、製パンコース（Ａ）と同様である。製パンコース（Ｃ）は、小麦ゼロ／米粉コースキー５４で、小麦ゼロコースの「食パン」を選択して、スタートキー５１を押すことによって開始される。なお、製パンコース（Ｃ）で使用される攪拌羽根３２は、図５（ｂ）に示す第２の攪拌羽根３２ｂである。
【００７３】
第２の攪拌羽根３２ｂは、羽根取付軸３３に取り付けられるように、第２の貫通孔３２４を有する第２の取付部３２５を備える。この第２の取付部３２５と一体となって第２の羽根部３２６が設けられる。この第２の羽根部３２６は略矩形状の平板からなり、第１の攪拌羽根３２ａの第１の羽根部３２３より大きく形成されている。この第２の攪拌羽根３２ｂは、パン材料を内側に取り込んで攪拌する機能を備え、第１の攪拌羽根３２ａに比べ、パン材料（生地）をパン容器３０の内壁にたたきつける機能は低い。すなわち、第２の攪拌羽根３２ｂは第１の攪拌羽根３２ａに比べて、捏ねの機能は低い。
【００７４】
以下、製パンコース（Ｃ）の詳細について主に図８を参照しながら説明する。図８は、本実施形態の自動製パン器で米粉食パン（グルテン及び増粘剤を含まない）を製造する場合の製パン工程表である。
【００７５】
製パンコース（Ｃ）が開始されると、まず、パン容器３０に投入されたパン材料からパン生地を調製するパン生地調製工程が行われる。このパン生地調製工程は、具体的には、パン容器３０に投入されたパン材料を攪拌する攪拌処理を行う工程である。この攪拌処理においては、制御装置１８によって、第２の攪拌羽根３２ｂの回転動作が制御される。この攪拌処理では、第２の攪拌羽根３２ｂはパターン１（回転数１０．８rpm）で３０秒間回転し、次いでパターン２（回転数１８．０rpm）で１分間回転し、次いでパターン３（回転数５４rpm）で３０秒間回転し、最後に定格回転数（１８０rpm）で５分間連続回転する。なお、この攪拌処理を行うにあたって、制御装置１８は、必要に応じて加熱装置４０の制御も行う。
【００７６】
製パンコース（Ｃ）では、製パンコース（Ｂ）の場合に比べて、定格回転数における攪拌時間が短い。これは、製パンコース（Ｃ）における攪拌処理では、主に、パン容器３０に投入した材料の混合を狙っており、製パンコース（Ａ）や（Ｂ）の場合と違って、この攪拌処理において捏ねの効果をあまり期待していないからである。この攪拌処理後のパン材料は流動性を有している。
【００７７】
パン生地調製工程が完了すると、続いてパン生地を休ませる生地休め工程（ベンチタイム）が行われる。このベンチタイムは、３２℃で４０分間行われる。なお、この生地休め工程においては、パン生地の発酵が進んでガスが発生する。
【００７８】
生地休め工程が完了すると、続いてパン生地内の気泡を抜くガス抜き工程が行われる。このガス抜き工程では、第２の攪拌羽根３２ｂが定格回転数（１８０ｒｐｍ）で３０秒間回転される。ここでのガス抜きは、できる限りパン生地内の気泡を抜き、パン生地がムラのない均一な生地状態となるように行う必要があり、製パンコース（Ａ）のガス抜き処理（これは、製パンコース（Ｃ）とは異なるタイミングで行うものである点に注意）よりも更に強力に行われる。すなわち、製パンコース（Ａ）に比べて、ガス抜きコースの時間が３倍となっている。
【００７９】
ところで、パン材料として米粉を使用する場合には、パン生地内に炭酸ガスを閉じ込め難いために、最終の発酵工程（成型発酵工程）前に、わざわざパン生地内のガスを抜く処理を行うということは、従来では考えられなかった。寧ろ、ふくらみのあるパンを焼き上げるために、特許文献２（これはグルテンの代わりに増粘剤を含むものである）に示されるように、パン生地内のガスが必要以上に抜けないように、パン生地調製工程でパン生地を得た後は、連続して発酵工程を行うのが好ましいとされていた。
【００８０】
また、パン材料にグルテンを含む場合には、最終の発酵工程の前に生地丸め工程を行う（製パンコース（Ｂ）参照）。この生地丸め工程においても、パン生地の炭酸ガスは抜けるが、これはあくまでもパン生地を丸めるために行う工程である。そして、例えば、特許文献３にも示されるように、最終の発酵工程前に行う生地丸め工程は、ふくらみのあるパンを得るために、パン生地を傷めないように攪拌羽根の回転は低速で行うのが好ましいというのが一般的な考え方であった。
【００８１】
この点、本発明者らは、グルテン及び増粘剤を含ませることなく使用することが推奨される米粉を用いて、従来の常識にとらわれることなく鋭意検討した。そして、その結果、パン生地調整工程で得られたパン生地を一旦休め、このパン生地を休めている間にパン生地中にガスを含ませ（そのような意味で、この生地休め工程は発酵工程とも言える）、その後、パン生地内のガスをできるだけ抜いて生地の均一化を図ることで、出来の良いパンを焼き上げられることを見出した。
【００８２】
ガス抜き工程が完了すると、続いてパン生地を発酵させる成型発酵工程が行われる。この成型発酵工程は、３８℃で３０分３０秒間行われる。
【００８３】
成型発酵工程が完了すると、続いてパン生地を焼成する焼成工程が行われる。この焼成工程は、具体的には１４０℃で４７分間行われる。
【００８４】
この製パンコース（Ｃ）に要するトータル時間は、２時間５分となる。この場合も、製パンコース（Ｂ）と同様に、製パンコース（Ａ）における一部の工程（一次発酵工程等）を省略し、製パンに要する時間が短縮されている。このため、米粉特有の性質（米粉が一旦吸収した水を長時間にわたって保持できないという性質）にもかかわらず、出来の良いパンを得ることができる。
【００８５】
上述のように、本実施形態の自動製パン器１の製パンコース（Ｃ）は、パン材料としてグルテン及び増粘剤を含ませることなく米粉を使用して食パンを焼き上げるのに適したコースとして開発したものであるが、本実施形態の自動製パン器１は、更に工夫が施されている。すなわち、製パンコース（Ｃ）における、攪拌羽根３２の回転条件や各工程に要する時間等の条件を好適化することによって、製パンコース（Ｃ）は、グルテンの代わりにグアガム等の増粘剤を含ませた米粉をパン材料として使用する場合にも、所望の食パンを焼き上げられるようになっている。このため、本実施形態の自動製パン器１では、パン材料としてグルテンを含ませて米粉を使用して食パンを製造する場合には、米粉コースを選択すればよく、パン材料としてグルテンを含ませることなく米粉を使用（この場合、増粘剤が含まれていても含まれていなくてもよい）して食パンを製造する場合には、小麦ゼロコースを選択すれば良いようになっている。
【００８６】
これは、パン材料として米粉を使用する場合に、（１）グルテンを含ませる場合、（２）グルテンの代わりに増粘剤を含ませる場合、（３）グルテンも増粘剤も含ませない場合、と、３つの製パンコースを用意すると、ユーザが混乱する可能性があることを考慮するものである。すなわち、製パンコースがあまりに多いとユーザは、どのコースを使用すれば良いか迷ってしまうものと考えられる。このため、（１）から（３）について纏められるものを検討した結果、（２）と（３）とを纏めて、ユーザにとって使い勝手の良い自動製パン器としたものである。
【００８７】
（その他）
以上、本発明の実施態様につき説明したが、本発明の範囲はこれに限定されるものではなく、発明の主旨を逸脱しない範囲で種々の変更を加えて実施することができる。
【００８８】
例えば、以上に示した実施形態では、パン生地調製工程が、パン容器３０に予め投入しておいた酵母菌を含んだパン材料を、攪拌羽根３２で攪拌する攪拌処理を行う工程であることとした。しかし、このパン生地調製工程は、酵母菌を含んだパン材料を攪拌部材（攪拌羽根３２）で攪拌する攪拌処理を含み、パン材料からパン生地を調製する工程であれば、その構成は本実施形態の構成に限定されるものではない。
【００８９】
図９は、本発明に適用可能なパン生地調製工程の変形例を示す図である。すなわち、パン生地調製工程は、例えば、図９（ａ）に示すように、酵母菌を含まないパン材料を攪拌羽根で攪拌する攪拌処理（この処理は、材料の混合の意味合いが強いが、場合によっては「ねり」や「捏ね」と表現されるものである）と、攪拌処理後に攪拌羽根を停止してパン材料を休ませ（ねかし）つつ、酵母菌を投入する酵母菌投入処理と、酵母菌投入処理後に攪拌羽根を回転して、酵母菌を含むパン材料を攪拌する攪拌処理（この処理も、場合によっては「ねり」や「捏ね」と表現される）と、をこの順で連続して行う工程であってもよい。
【００９０】
また、図９（ｂ）に示すように、酵母菌を含まないパン原料を所定の時間だけ放置するねかし処理と、ねかし処理後にパン材料を攪拌しながら所定のタイミングで酵母菌を投入し、酵母菌を含んだパン材料を攪拌する攪拌処理を行う工程であってもよい。ここでの攪拌処理は、場合によっては「ねり」や「捏ね」と表現されるものである。また、この攪拌処理は、本発明の酵母菌投入処理も含んだ処理となっている。
【００９１】
なお、上述の酵母菌投入処理は、例えば、自動製パン器に酵母菌を自動的に投入する機能を設けて実行するのが好ましい。
【００９２】
また、以上に示した実施形態では、自動製パン器１が複数の製パン工程を実行できる構成とした。しかし、本発明は、パン材料としてグルテン及び増粘剤を含ませることなく米粉を使用する場合に、出来の良いパンを製造できる自動製パン器を提供することを目的の１つとしている。このために、本発明の実施形態として、例えば、上述の製パンコース（Ｃ）のみを実行させることができる自動製パン器等としても構わない。
【００９３】
また、上述のように、本発明では、成型発酵工程を行う前にできる限り炭酸ガスを抜くために、攪拌羽根３２ｂをできる限り高速回転としている。しかし、攪拌羽根３２ｂの回転数を、生地丸め工程と同様の回転数として時間を長くする等してもよい。ただし、製パン工程に要する時間は短時間であるのが好ましいので、本実施形態のように、ガス抜き工程における攪拌羽根の回転は、できる限り高速回転とするのが好ましい。
【産業上の利用可能性】
【００９４】
本発明は、主として一般家庭で使用される自動製パン器に好適である。
【符号の説明】
【００９５】
１    自動製パン器
１８  制御装置（制御部）
３０  パン容器
３２  攪拌羽根（攪拌部材）
３２ａ  第１の攪拌羽根
３２ｂ  第２の攪拌羽根
４０  加熱装置（加熱部）
【図１】
2011041642.tif 000003
【図２】
2011041642.tif 000004
【図３】
2011041642.tif 000005
【図４】
2011041642.tif 000006
【図５】
2011041642.tif 000007
【図６】
2011041642.tif 000008
【図７】
2011041642.tif 000009
【図８】
2011041642.tif 000010
【図９】
2011041642.tif 000011